(57)【要約】      （修正有）【課題】キャリブレーションの際に所定の複数点を同時にタッチする作業を、的確に行うことが容易となる電子機器を提供する。【解決手段】タッチパネルを有し、該タッチパネルのキャリブレーションを行う機器本体２と、前記タッチパネルのタッチ操作に使用される操作部品３と、を備える電子機器であって、前記機器本体は、前記タッチパネルに、複数の点である指定点セットＰ１ａ、Ｐ１ｂが設定されており、前記指定点セットの各点を同時にタッチする指定点同時タッチがなされたときの状態に基づいて、前記キャリブレーションを行うものであり、前記操作部品は、前記機器本体と所定の位置関係になる態様で前記タッチパネルへ接触させた際に、指定点同時タッチを行うように形成されている。【選択図】図６
2014174892.tif 000002
【特許請求の範囲】
【請求項１】
タッチパネルを有し、該タッチパネルのキャリブレーションを行う機器本体と、
前記タッチパネルのタッチ操作に使用される操作部品と、
を備える電子機器であって、
前記機器本体は、
前記タッチパネルに、複数の点である指定点セットが設定されており、
前記指定点セットの各点を同時にタッチする指定点同時タッチがなされたときの状態に基づいて、前記キャリブレーションを行うものであり、
前記操作部品は、
前記機器本体と所定の位置関係になる態様で前記タッチパネルへ接触させた際に、指定点同時タッチを行うように形成されている電子機器。
【請求項２】
前記指定点セットは、
予め決められた２点であることを特徴とする請求項１に記載の電子機器。
【請求項３】
前記操作部品は、
周囲から突出した２個の突出部が、前記指定点セットの２点と同じ間隔で設けられており、
前記態様で前記タッチパネルに接触させた際に、前記突出部の各々が指定点同時タッチを行うことを特徴とする請求項２に記載の電子機器。
【請求項４】
前記操作部品は、
軸方向へ前記突出部の各々が並ぶように配置された、略棒状の部品であり、
前記態様は、前記タッチパネルに対して寝かせた態様であることを特徴とする請求項３に記載の電子機器。
【請求項５】
前記操作部品は、
軸方向へ伸縮可能に形成されており、
前記態様は、軸方向へ伸ばされた態様であることを特徴とする請求項４に記載の電子機器。
【請求項６】
前記操作部品の位置を少なくとも一方向について前記態様の位置に位置決めする、位置決め部を備えたことを特徴とする請求項４または請求項５に記載の電子機器。
【請求項７】
前記機器本体は、
前記タッチパネルに、第１から第Ｎ（Ｎ≧２とする）のＮ個の前記指定点セットが設定されており、
Ｎ個の前記指定点セットについて指定点同時タッチが順次なされたときの各状態に基づいて、前記キャリブレーションを行うものであり、
前記操作部品は、
第１から第ＮのＮ通りの前記態様で前記タッチパネルへ接触させることが可能であり、
第Ｋ（１≦Ｋ≦Ｎとする）の態様で前記タッチパネルに接触させた際に、第Ｋの前記指定点セットについての指定点同時タッチを行うように形成されており、
前記位置決め部は、
Ｎ通りの前記態様の各々について、前記位置決めを行うことを特徴とする請求項６に記載の電子機器。
【請求項８】
前記位置決め部として、
前記機器本体および前記操作部品の一方に窪みが設けられるとともに、前記窪みに嵌め込まれる突起が他方に設けられたことを特徴とする、請求項６または請求項７に記載の電子機器。
【請求項９】
前記位置決め部として、
前記操作部品の一部が嵌め込まれる窪みが、前記機器本体に設けられたことを特徴とする請求項６または請求項７に記載の電子機器。
【請求項１０】
前記位置決め部として、
前記機器本体および前記操作部品の一方にマグネットが設けられるとともに、前記マグネットに引付けられる磁性体部が他方に設けられたことを特徴とする、請求項６または請求項７に記載の電子機器。
【請求項１１】
Ｎ個の前記指定点セットの各々は、所定の配列方向へ並ぶように設定されており、
前記操作部品は、
前記機器本体に沿った前記配列方向への転がしがなされることにより、Ｎ個の前記指定点セットの各々についての指定点同時タッチを順次行うように形成されていることを特徴とする請求項７に記載の電子機器
【請求項１２】
前記位置決め部として、
前記配列方向へ伸びた溝が前記機器本体に設けられるとともに、前記転がしがなされるときに前記溝に嵌め込まれた状態を維持する嵌め込み部が前記操作部品に設けられたことを特徴とする請求項１１に記載の電子機器。
【請求項１３】
前記操作部品は、
前記転がしにより行われる前記タッチパネルへの各タッチの一部が、指定同時タッチとなるように形成されており、
前記機器本体は、
前記各タッチのうちの指定点同時タッチとなるものを識別することを特徴とする請求項１１または請求項１２に記載の電子機器。
【請求項１４】
前記操作部品は、
前記転がしにおける回転半径が変わるように変形可能に形成されていることを特徴とする請求項１１から請求項１３の何れかに記載の電子機器。
【請求項１５】
前記タッチパネルは、
マルチタッチ方式の抵抗膜式タッチパネルであることを特徴とする請求項１から請求項１４の何れかに記載の電子機器。
【発明の詳細な説明】
【技術分野】
【０００１】
本発明は、タッチパネルを備える電子機器に関する。
【背景技術】
【０００２】
従来、タッチパネルを備える電子機器が広く利用されている。例えば特許文献１には、マルチタッチ方式の抵抗膜式タッチパネルを有するものが開示されている。このような電子機器の多くは、タッチパネルを有する機器本体に、当該タッチパネルのタッチ操作に使用される操作部品（例えばスタイラスペン）が付属した形態となっている。
【０００３】
また一般的にタッチパネルを備える電子機器は、タッチパネルのキャリブレーションを行う機能を有している。キャリブレーションは、ユーザに所定の指定点をタッチさせ、タッチされた位置に基づいてタッチパネルが適切に動作するよう調整する処理である。キャリブレーションは、例えば初期設定として行われる他、経年変化等によってタッチした位置が正確に認識されなくなった場合にも行われる。
【０００４】
なおマルチタッチ方式のタッチパネルの場合、キャリブレーションが行われる際には、所定の複数点（一般的には２点）を同時にタッチする作業が、ユーザに求められることがある。この場合には、複数点が同時にタッチされた状態に基づいてキャリブレーションが行われる。
【先行技術文献】
【特許文献】
【０００５】
【特許文献１】特開２００９−１４６１９１号公報
【発明の概要】
【発明が解決しようとする課題】
【０００６】
上述したように、キャリブレーションの際には、所定の複数点を同時にタッチする作業が求められる場合がある。しかしこの作業を普通のタッチ操作のように行う場合には、タッチする位置や力にばらつきが生じ易いこともあり、当該作業を的確に行うことは容易ではない。その結果、キャリブレーションが正しく行われない虞がある。
【０００７】
本発明は上述した問題に鑑み、キャリブレーションの際に所定の複数点を同時にタッチする作業を、的確に行うことが容易となる電子機器の提供を目的とする。
【課題を解決するための手段】
【０００８】
本発明に係る電子機器は、タッチパネルを有し、該タッチパネルのキャリブレーションを行う機器本体と、前記タッチパネルのタッチ操作に使用される操作部品と、を備える電子機器であって、前記機器本体は、前記タッチパネルに、複数の点である指定点セットが設定されており、前記指定点セットの各点を同時にタッチする指定点同時タッチがなされたときの状態に基づいて、前記キャリブレーションを行うものであり、前記操作部品は、前記機器本体と所定の位置関係になる態様で前記タッチパネルへ接触させた際に、指定点同時タッチを行うように形成されている構成とする。
【０００９】
本構成によれば、キャリブレーションの際に所定の複数点を同時にタッチする作業を、的確に行うことが容易となる。なおここでの「タッチ操作」は、例えば一般的に行われるタッチパネルの操作のことであり、上記の指定点同時タッチを含まない概念である。
【００１０】
また上記構成としてより具体的には、前記指定点セットは、予め決められた２点である構成としてもよい。また上記構成としてより具体的には、前記操作部品は、周囲から突出した２個の突出部が、前記指定点セットの２点と同じ間隔で設けられており、前記態様で前記タッチパネルに接触させた際に、前記突出部の各々が指定点同時タッチを行う構成としてもよい。
【００１１】
また上記構成としてより具体的には、前記操作部品は、軸方向へ前記突出部の各々が並ぶように配置された、略棒状の部品であり、前記態様は、前記タッチパネルに対して寝かせた態様である構成としてもよい。また上記構成としてより具体的には、前記操作部品は、軸方向へ伸縮可能に形成されており、前記態様は、軸方向へ伸ばされた態様である構成としてもよい。また上記構成としてより具体的には、前記操作部品の位置を少なくとも一方向について前記態様の位置に位置決めする、位置決め部を備えた構成としてもよい。
【００１２】
また上記構成としてより具体的には、前記機器本体は、前記タッチパネルに、第１から第Ｎ（Ｎ≧２とする）のＮ個の前記指定点セットが設定されており、Ｎ個の前記指定点セットの各々について指定点同時タッチがなされたときの前記状態情報を取得し、該取得した状態情報の各々に基づいて前記キャリブレーションを行うものであり、前記操作部品は、第１から第ＮのＮ通りの前記態様で前記タッチパネルへ接触させることが可能であり、第Ｋ（１≦Ｋ≦Ｎとする）の態様で前記タッチパネルに接触させた際に、第Ｋの前記指定点セットについての指定点同時タッチを行うように形成されており、前記位置決め部は、Ｎ通りの前記態様の各々について、前記位置決めを行う構成としてもよい。
【００１３】
また上記構成としてより具体的には、前記位置決め部として、前記機器本体および前記操作部品の一方に窪みが設けられるとともに、前記窪みに嵌め込まれる突起が他方に設けられた構成としてもよい。また上記構成としてより具体的には、前記位置決め部として、前記操作部品の両端部分の各々が嵌め込まれる窪みが、前記機器本体に設けられた構成としてもよい。また上記構成としてより具体的には、前記位置決め部として、前記機器本体および前記操作部品の一方にマグネットが設けられるとともに、前記マグネットに引付けられる磁性体部が他方に設けられた構成としてもよい。
【００１４】
また上記構成としてより具体的には、Ｎ個の前記指定点セットの各々は、所定の配列方向へ並ぶように設定されており、前記操作部品は、前記機器本体に沿った前記配列方向への転がしがなされることにより、Ｎ個の前記指定点セットの各々についての指定点同時タッチを順次行うように形成されている構成としてもよい。
【００１５】
また上記構成としてより具体的には、前記位置決め部として、前記配列方向へ伸びた溝が前記機器本体に設けられるとともに、前記転がしがなされるときに前記溝に嵌め込まれた状態を維持する嵌め込み部が前記操作部品に設けられた構成としてもよい。
【００１６】
また上記構成としてより具体的には、前記操作部品は、前記転がしにより行われる前記タッチパネルへの各タッチの一部が、指定点同時タッチとなるように形成されており、前記機器本体は、前記各タッチのうちの指定点同時タッチとなるものを識別する構成としてもよい。また上記構成としてより具体的には、前記操作部品は、前記転がしにおける回転半径が変わるように変形可能に形成されている構成としてもよい。
【００１７】
また上記構成としてより具体的には、前記タッチパネルは、マルチタッチ方式の抵抗膜式タッチパネルである構成としてもよい。
【発明の効果】
【００１８】
本発明に係る電子機器によれば、キャリブレーションの際に所定の複数点を同時にタッチする作業を、的確に行うことが容易となる。
【図面の簡単な説明】
【００１９】
【図１】第１実施形態に係る電子機器の外観図である。
【図２】第１実施形態に係る機器本体の機能に関するブロック図である。
【図３】第１実施形態に係る機器本体の形状等を表す説明図である。
【図４】第１実施形態に係る操作部品の形状等を表す説明図である。
【図５】第１実施形態に係る操作部品の利用形態に関する説明図である。
【図６】第１実施形態に係る操作部品の態様に関する説明図である。
【図７】キャリブレーション動作に関するフローチャートである。
【図８】第２実施形態に係る機器本体の形状等を表す説明図である。
【図９】第２実施形態に係る操作部品の形状等を表す説明図である。
【図１０】第２実施形態に係る操作部品の利用形態に関する説明図である。
【図１１】第２実施形態に係る操作部品の態様に関する説明図である。
【図１２】第３実施形態に係る機器本体の形状等を表す説明図である。
【図１３】第３実施形態に係る操作部品の形状等を表す説明図である。
【図１４】第３実施形態に係る操作部品の利用形態に関する説明図である。
【図１５】第３実施形態に係る操作部品の態様に関する説明図である。
【図１６】第４実施形態に係る機器本体の形状等を表す説明図である。
【図１７】第４実施形態に係る操作部品の形状等を表す説明図である。
【図１８】第４実施形態に係る操作部品の利用形態に関する説明図である。
【図１９】第４実施形態に係る操作部品の態様に関する説明図である。
【図２０】第４実施形態に係る操作部品の態様に関する別の説明図である。
【図２１】操作部品の変形に関する説明図である。
【発明を実施するための形態】
【００２０】
本発明の実施形態について第１から第４の各実施形態を例に挙げ、各図面を用いながら以下に説明する。
【００２１】
１．第１実施形態
［電子機器の構成等］
まず第１実施形態について説明する。図１は、第１実施形態に係る電子機器１の外観図である。本図に示すように、電子機器１は、機器本体２（タブレット型端末）および操作部品３（スタイラスペン）を備えている。なお以下の説明に用いる上下左右前後の各方向は、特に断りの無い限り、図１に示す通りの方向を表す。
【００２２】
機器本体２は、前面にタッチパネル２１を備えた筐体２０に、各種の電子部品等が内蔵された形態となっている。機器本体２は、薄型で軽量化を実現させた携帯型の仕様となっている。筐体２０には、操作部品３を着脱自在に収納するスペースが設けられていても良い。
【００２３】
操作部品３は、タッチパネル２１のタッチ操作に使用される略棒状（軸方向に伸びた形状）の部品である。操作部品３は、構成上は機器本体２から分離しているが、機器本体２に付随して使用される。ユーザは、ペンと同じように操作部品３を握り、その先端部分をタッチパネル２１に当てるようにして、タッチ操作を行うことが出来る。
【００２４】
図２は、機器本体２の機能に関するブロック図である。本図に示すように機器本体２は、タッチパネル２１の他、キャリブレーション実行部２２、アプリケーション実行部２３、および制御部２４を備えている。
【００２５】
タッチパネル２１は、マルチタッチ方式（本実施形態では、同時にタッチされた２点の位置が認識可能である方式）の抵抗膜式タッチパネルであり、各種情報の表示手段としての機能とタッチ操作の受付手段としての機能を併せ持つ。タッチパネル２１は、操作部品３或いは指等によりタッチされると電圧等の電気的な状態が変化する。変化した状態はタッチされた位置によって異なるため、当該状態に基づいてタッチされた位置を検出することが可能である。
【００２６】
タッチパネル２１は、２点がタッチされた場合には、これらの点の相対座標を用いて、当該２点の位置を両方とも認識することが出来る。このようなマルチタッチ方式の基本的な動作原理については公知であるため、ここでは詳細な説明を省略する。
【００２７】
キャリブレーション実行部２２は、タッチパネル２１のキャリブレーション（以下、単に「キャリブレーション」と称する）を実行する。なお詳しくは後述するが、タッチパネル２１には、予め決められた２点である指定点セットが複数セット（図３に示すＰ１〜Ｐ３の３セット）設定されている。そしてキャリブレーション実行部２２は、指定点セットが同時にタッチされたときの状態に基づいて、キャリブレーションを行うようになっている。
【００２８】
アプリケーション実行部２３は、機器本体２にインストールされているアプリケーションソフトを実行する。すなわちアプリケーション実行部２３は、実行中のアプリケーションソフトに基づいてタッチパネル２１等を制御し、タッチパネル２１の表示や操作受付等が行われるようにする。これにより電子本体２は、実行中のアプリケーションソフトに応じたサービスをユーザに提供することが出来る。また制御部２４は、機器本体２が適切に動作するように各部を制御する。
【００２９】
図３は、機器本体２の形状等を表す説明図である。なお図３（後述する図８、図１２、および図１６についても同様）には、前方視点、右方視点、および下方視点の各々から見た場合の形状が示されている。
【００３０】
本図に示すように機器本体２は、略直方体に形成された筐体２０を有している。筐体２０の前面の外縁は、上下方向に伸びた対辺と左右方向に伸びた対辺を有する長方形となっている。また筐体２０の前面には、複数の位置決め用窪み（Ｇ１ａ〜Ｇ３ａ、Ｇ１ｂ〜Ｇ３ｂ）が設けられている。
【００３１】
タッチパネル２１の露出面（前方に露出した面）の外縁は、上下方向に伸びた対辺と左右方向に伸びた対辺を有する長方形となっている。またタッチパネル２１の露出面は、筐体２０の前面の中央領域に相当する位置に配置されている。すなわち機器本体２を前方視点から見ると、中央に配置されたタッチパネル２１と、これを囲む枠状の部分（筐体２０の前面）が現れている。各位置決め用窪み（Ｇ１ａ〜Ｇ３ａ、Ｇ１ｂ〜Ｇ３ｂ）は、この枠状の部分に設けられている。詳しくは後述するが、これらの位置決め用窪みは、操作部品３の位置決めに用いられるものである。
【００３２】
またタッチパネル２１には、第１から第３の各指定点セット（Ｐ１〜Ｐ３）が設定されている。第１指定点セットＰ１は、既定の指定点Ｐ１ａと既定の指定点Ｐ１ｂの２点である。また第２指定点セットＰ２は、既定の指定点Ｐ２ａと既定の指定点Ｐ２ｂの２点である。また第３指定点セットＰ３は、既定の指定点Ｐ３ａと既定の指定点Ｐ３ｂの２点である。
【００３３】
指定点セットＰ１は、タッチパネル２１の上寄りに設けられている。指定点Ｐ１ａと指定点Ｐ１ｂは、上下方向の位置が同じである。但し指定点Ｐ１ａはタッチパネル２１の左寄りに設けられ、指定点Ｐ１ｂは右寄り設けられている。
【００３４】
指定点セットＰ２は、指定点セットＰ１より下に設けられている。指定点Ｐ２ａと指定点Ｐ２ｂは、上下方向の位置が同じである。指定点Ｐ２ａは指定点Ｐ１ａの真下に設けられ、指定点Ｐ２ｂは指定点Ｐ１ｂの真下に設けられている。
【００３５】
指定点セットＰ３は、指定点セットＰ２より下に設けられている。指定点Ｐ３ａと指定点Ｐ３ｂは、上下方向の位置が同じである。指定点Ｐ３ａは指定点Ｐ２ａの真下に設けられ、指定点Ｐ３ｂは指定点Ｐ２ｂの真下に設けられている。
【００３６】
また位置決め用窪みＧ１ａは、筐体２０の前面における左側の縁に、指定点セットＰ１と上下方向の位置が同じとなるように設けられている。位置決め用窪みＧ１ｂは、筐体２０の前面における右側の縁に、指定点セットＰ１と上下方向の位置が同じとなるように設けられている。
【００３７】
また位置決め用窪みＧ２ａは、筐体２０の前面における左側の縁に、指定点セットＰ２と上下方向の位置が同じとなるように設けられている。位置決め用窪みＧ２ｂは、筐体２０の前面における右側の縁に、指定点セットＰ２と上下方向の位置が同じとなるように設けられている。
【００３８】
また位置決め用窪みＧ３ａは、筐体２０の前面における左側の縁に、指定点セットＰ３と上下方向の位置が同じとなるように設けられている。位置決め用窪みＧ３ｂは、筐体２０の前面における右側の縁に、指定点セットＰ３と上下方向の位置が同じとなるように設けられている。
【００３９】
なお指定点Ｐ１ａと指定点Ｐ１ｂの間隔、指定点Ｐ２ａと指定点Ｐ２ｂの間隔、および指定点Ｐ３ａと指定点Ｐ３ｂの間隔は、それぞれＬ１で同じである。また指定点Ｐ１ａと位置決め用窪みＧ１ａの間隔、指定点Ｐ２ａと位置決め用窪みＧ２ａの間隔、および指定点Ｐ３ａと位置決め用窪みＧ３ａの間隔は、それぞれＬ２で同じである。また指定点Ｐ１ｂと位置決め用窪みＧ１ｂの間隔、指定点Ｐ２ｂと位置決め用窪みＧ２ｂの間隔、および指定点Ｐ３ｂと位置決め用窪みＧ３ｂの間隔は、それぞれＬ３で同じである。
【００４０】
図４は、操作部品３の形状等を表す説明図である。なお操作部品３は、軸方向に伸縮自在に形成された棒状の部品であり、図４（後述する図９、図１３、および図１７についても同様）には、通常形態（伸ばされていない形態）と伸長形態（伸ばされた形態）の両方の形状が示されている。
【００４１】
本図に示すように操作部品３は、棒状に形成された棒状部３１を有している。ユーザは、通常形態である操作部品３の棒状部３１を、ペンと同じように握ることが出来る。棒状部３１の一方の先端部分３１ａは、タッチ操作が容易となるように、やや尖った形状となっている。また棒状部３１の内部には、可動部３３を収納するスペースが設けられている。
【００４２】
可動部３３は、棒状部３１と共通の軸をもち、かつ、棒状部３１よりやや外径の小さい棒状に形成されている。可動部３３は、棒状部３１の他方の先端部分３１ｂにおいて、ユーザの手作業により出し入れ自在となっている。
【００４３】
また操作部品３の通常形態は、可動部３３が棒状部３１に最も奥まで収納された形態であり、操作部品３の伸長形態は、可動部３３が棒状部３１から最も長く引き出された形態である。すなわち操作部品３は、通常形態と伸長形態の間で切替可能となるように、伸縮自在となっている。
【００４４】
なお操作部品３は、通常のタッチ操作に用いられる際には通常形態とされるが、伸長形態へ切替えられることにより、キャリブレーションの際に各指定点セット（Ｐ１〜Ｐ３）を的確にタッチするための道具として利用され得る。この場合の利用形態については、後述の説明により明らかとなる。
【００４５】
また棒状部３１には、突起３５ａおよび突出部３６ａが設けられており、可動部３３には、突起３５ｂおよび突出部３６ｂが設けられている。これらの突起（３５ａ、３５ｂ）および突出部（３６ａ、３６ｂ）は、操作部品３の軸方向へ真直ぐに（径方向へずれずに）並ぶように配置されている。
【００４６】
また棒状部３１は、可動部３３が収納されるときに突起３５ｂおよび突出部３６ｂと干渉しないよう、工夫された形状（例えば、干渉が問題となる位置にスリットが設けられた形状）となっている。なおこのような干渉を防ぐため、突起３５ｂおよび突出部３６ｂを、押さえ付けて引っ込めることが可能であるようにしても良い。
【００４７】
突起３５ａは、機器本体２における左側の各位置決め用窪み（Ｇ１ａ〜Ｇ３ａ）に、ほぼ隙間なく嵌め込み可能な形状となっている。また突起３５ｂは、機器本体２における右側の各位置決め用窪み（Ｇ１ｂ〜Ｇ３ｂ）に、ほぼ隙間なく嵌め込み可能な形状となっている。
【００４８】
なお操作部品３が伸長形態であるとき、突出部３６ａと突出部３６ｂの間隔は先述したＬ１に等しく、突出部３６ａと突起３５ａの間隔は先述したＬ２に等しく、突出部３６ｂと突起３５ｂの間隔は先述したＬ３に等しくなっている。そのため伸長形態とされた操作部品３は、図５に示すように、突起３５ａを位置決め用窪みＧ１ａに嵌め込み、かつ、突起３５ｂを位置決め用窪みＧ１ｂに嵌め込むようにして、機器本体２に乗せることが出来る。
【００４９】
このように操作部品３が機器本体２に乗せられると、操作部品３は図６に示すように、突出部３６ａが指定点Ｐ１ａをタッチし、かつ、突出部３６ｂが指定点Ｐ１ｂをタッチする態様（以下、便宜的に「第１態様Ｓ１」と称する）となる。このとき、第１指定点セットＰ１の各指定点（Ｐ１ａ、Ｐ１ｂ）は、同時にタッチされている。なお各突出部（３６ａ、３６ｂ）の突出する長さは、このようなタッチが適切に行われるように設定されている。
【００５０】
また伸長形態とされた操作部品３は、突起３５ａを位置決め用窪みＧ２ａに嵌め込み、かつ、突起３５ｂを位置決め用窪みＧ２ｂに嵌め込むようにして、機器本体２に乗せることも出来る。この場合に操作部品３は、突出部３６ａが指定点Ｐ２ａをタッチし、かつ、突出部３６ｂが指定点Ｐ２ｂをタッチする態様（以下、便宜的に「第２態様Ｓ２」と称する）となる。このとき、第２指定点セットＰ２の各指定点（Ｐ２ａ、Ｐ２ｂ）は、同時にタッチされている。
【００５１】
また伸長形態とされた操作部品３は、突起３５ａを位置決め用窪みＧ３ａに嵌め込み、かつ、突起３５ｂを位置決め用窪みＧ３ｂに嵌め込むようにして、機器本体２に乗せることも出来る。この場合に操作部品３は、突出部３６ａが指定点Ｐ３ａをタッチし、かつ、突出部３６ｂが指定点Ｐ３ｂをタッチする態様（以下、便宜的に「第３態様Ｓ３」と称する）となる。このとき、第３指定点セットＰ３の各指定点（Ｐ３ａ、Ｐ３ｂ）は、同時にタッチされている。
【００５２】
なお第１から第３の各態様（Ｓ１〜Ｓ３）においては、突起３５ａは左側の位置決め用窪みに嵌め込まれ、突起３５ｂは右側の位置決め用窪みに嵌め込まれている。そのため操作部品３は、上下左右等の方向への動きが制限される。すなわち各態様の操作部品３は、各突起（３５ａ、３５ｂ）および位置決め用窪みの作用により、これらの方向についてその態様の位置に位置決めされる。
【００５３】
［機器本体の動作等］
次に機器本体２が行う主要な動作について説明する。制御部２４は、ユーザによる各種指示（アプリケーションソフトの実行指示や、キャリブレーションの実行指示を含む）を待機し、当該指示に応じた動作が行われるように各部を制御する。このときユーザは、タッチパネル２１のタッチ操作により、機器本体２へ各種指示を与えることが可能である。
【００５４】
アプリケーションソフトの実行指示がなされると、制御部２４は、ユーザに指定されたアプリケーションソフトを実行させるように、アプリケーション実行部２３へ指示を出す。またキャリブレーションの実行指示がなされると、制御部２４は、所定のキャリブレーション動作を実行させるように、キャリブレーション実行部２２へ指示を出す。
【００５５】
キャリブレーション動作は、キャリブレーションを実現させるための動作（以下に説明する、ステップＳ１１〜Ｓ１７の一連の動作）である。キャリブレーション動作の具体的内容について、図７に示すフローチャートを参照しながら以下に説明する。
【００５６】
まずキャリブレーション実行部２２は、タッチパネル２１に所定の案内画面を表示させる（ステップＳ１１）。この案内画面は、キャリブレーションのために必要な作業を行わせるように、ユーザを案内するための既定の画面である。なおこの作業は、第１指定点セットＰ１の（指定点Ｐ１ａと指定点Ｐ１ｂの）同時タッチ、第２指定点セットＰ２の（指定点Ｐ２ａと指定点Ｐ２ｂの）同時タッチ、および第３指定点セットＰ３の（指定点Ｐ３ａと指定点Ｐ３ｂの）同時タッチを、順次行う作業である。なお同時タッチの実行は、各点が何れもタッチされている状態が生じるように（少なくとも当該状態となる瞬間が生じるように）各点をタッチすれば良く、各点を触れ始めるタイミングに時間差があっても構わない。
【００５７】
当該案内画面には、各指定点セット（Ｐ１〜Ｐ３）の位置を特定する情報（各指定点セットの位置を示す印や座標など）が含まれている。また当該案内画面には、キャリブレーション動作の実行中である旨の説明や、ユーザが行うべき作業の手順の説明等が含まれていても良い。当該案内画面は、キャリブレーション動作が終了するまで継続的に表示される。
【００５８】
そしてキャリブレーション実行部２２は、第１指定点セットＰ１の同時タッチを待機する（ステップＳ１２）。なおこのときに２点の同時タッチがなされても、例えばその２点の位置が第１指定点セットＰ１から所定の度合を超えて離れている場合には、第１指定点セットＰ１の同時タッチがなされたとは認識されないようにしても良い。
【００５９】
当該待機中においてユーザは、普通のタッチ操作を行うようにして第１指定点セットＰ１の同時タッチを試みることも出来るが、操作部品３を利用して、より簡易かつ的確に、第１指定点セットＰ１の同時タッチを行うことが出来る。すなわちユーザは、操作部品３を伸長形態とした上で、先述した第１態様Ｓ１となるように操作部品３を機器本体２に乗せることが出来る。これによって非常に簡易かつ的確に、第１指定点セットＰ１の同時タッチが実現される。
【００６０】
またキャリブレーション実行部２２は、第１指定点セットＰ１の同時タッチがなされると（ステップＳ１２のＹ）、そのときの状態に基づいて同時タッチされた２点の相対座標を求め、これに基づいてキャリブレーションを実施する（ステップＳ１３）。キャリブレーション実行部２２は、例えば、同時タッチされた２点の中点の位置を検出し、第１指定点セットＰ１に対応した上下方向（Ｙ軸方向）の位置における、左右方向（Ｘ軸方向）についてのキャリブレーションを実施するようにしても良い。
【００６１】
次にキャリブレーション実行部２２は、第２指定点セットＰ２の同時タッチを待機する（ステップＳ１４）。なおこのときに２点の同時タッチがなされても、例えばその２点の位置が第２指定点セットＰ２から所定の度合を超えて離れている場合には、第２指定点セットＰ２の同時タッチがなされたとは認識されないようにしても良い。
【００６２】
このときにもユーザは、操作部品３を利用して、第２指定点セットＰ２の同時タッチを行うことが出来る。すなわちユーザは、伸長形態とされた操作部品３を、先述した第２態様Ｓ２となるように機器本体２に乗せることが出来る。これによって非常に簡易かつ的確に、第２指定点セットＰ２の同時タッチが実現される。
【００６３】
またキャリブレーション実行部２２は、第２指定点セットＰ２の同時タッチがなされると（ステップＳ１４のＹ）、そのときの状態に基づいて同時タッチされた２点の相対座標を求め、これに基づいてキャリブレーションを実施する（ステップＳ１５）。キャリブレーション実行部２２は、例えば、同時にタッチされた２点の中点の位置を検出し、第２指定点セットＰ２に対応した上下方向（Ｙ軸方向）の位置における、左右方向（Ｘ軸方向）についてのキャリブレーションを実施するようにしても良い。
【００６４】
次にキャリブレーション実行部２２は、第３指定点セットＰ３の同時タッチを待機する（ステップＳ１６）。なおこのときに２点の同時タッチがなされても、例えばその２点の位置が第３指定点セットＰ３から所定の度合を超えて離れている場合には、第３指定点セットＰ３の同時タッチがなされたとは認識されないようにしても良い。
【００６５】
このときにもユーザは、操作部品３を利用して、第３指定点セットＰ３の同時タッチを行うことが出来る。すなわちユーザは、伸長形態とされた操作部品３を、先述した第３態様Ｓ３となるように機器本体２に乗せることが出来る。これによって非常に簡易かつ的確に、第３指定点セットＰ３の同時タッチが実現される。
【００６６】
またキャリブレーション実行部２２は、第３指定点セットＰ３の同時タッチがなされると（ステップＳ１６のＹ）、そのときの状態に基づいて同時タッチされた２点の相対座標を求め、これに基づいてキャリブレーションを実施する（ステップＳ１７）。キャリブレーション実行部２２は、例えば、同時にタッチされた２点の中点の位置を検出し、第３指定点セットＰ３に対応した上下方向（Ｙ軸方向）の位置における、左右方向（Ｘ軸方向）についてのキャリブレーションを実施するようにしても良い。当該キャリブレーションが完了すると、一連のキャリブレーション動作は終了される。
【００６７】
なおキャリブレーション動作の具体的内容は、上述したものに限られず、種々の改変を加えることが可能である。例えば、指定点セットが同時タッチされる度にキャリブレーションが実施されるのではなく、指定点セットが同時タッチされる度にそのときの状態（検出される電圧値等）を記憶保持しておき、全ての指定点セットの同時タッチがなされた後に、纏めてキャリブレーションが実施されるようにしても良い。またＸ軸方向だけでなくＹ軸方向についても、キャリブレーションが実施されるようにしても良い。
【００６８】
２．第２実施形態
次に第２実施形態について説明する。なお第２実施形態は、操作部品の位置決めに関する構成を除き、基本的には第１実施形態と同様である。以下の説明では、第１実施形態と異なる部分の説明に重点をおき、共通する部分については説明を省略することがある。
【００６９】
図８は、第２実施形態に係る機器本体２の形状等を表す説明図である。本図に示すように機器本体２の前側においては、タッチパネル２１の露出面が、筐体２０の前面に比べて少し後側に位置している。すなわちタッチパネル２１を囲む枠状の部分が、タッチパネル２１の露出面よりも前方に盛り上がった形態となっている。
【００７０】
そして位置決め用窪みＧ１ａは、筐体２０の前面におけるタッチパネル２１の左側の縁と接する位置に、指定点セットＰ１と上下方向の位置が同じとなるように設けられている。位置決め用窪みＧ１ｂは、筐体２０の前面におけるタッチパネル２１の右側の縁と接する位置に、指定点セットＰ１と上下方向の位置が同じとなるように設けられている。
【００７１】
また位置決め用窪みＧ２ａは、筐体２０の前面におけるタッチパネル２１の左側の縁と接する位置に、指定点セットＰ２と上下方向の位置が同じとなるように設けられている。位置決め用窪みＧ２ｂは、筐体２０の前面におけるタッチパネル２１の右側の縁と接する位置に、指定点セットＰ２と上下方向の位置が同じとなるように設けられている。
【００７２】
また位置決め用窪みＧ３ａは、筐体２０の前面におけるタッチパネル２１の左側の縁と接する位置に、指定点セットＰ３と上下方向の位置が同じとなるように設けられている。位置決め用窪みＧ３ｂは、筐体２０の前面におけるタッチパネル２１の右側の縁と接する位置に、指定点セットＰ３と上下方向の位置が同じとなるように設けられている。
【００７３】
なお指定点Ｐ１ａと指定点Ｐ１ｂの間隔、指定点Ｐ２ａと指定点Ｐ２ｂの間隔、および指定点Ｐ３ａと指定点Ｐ３ｂの間隔は、それぞれＬ１で同じである。また指定点Ｐ１ｂと位置決め用窪みＧ１ｂの右端との間隔、指定点Ｐ２ｂと位置決め用窪みＧ２ｂの右端との間隔、および指定点Ｐ３ｂと位置決め用窪みＧ３ｂの右端との間隔は、それぞれＬ３で同じである。
【００７４】
図９は、第２実施形態に係る操作部品３の形状等を表す説明図である。操作部品３には、第１実施形態とは異なり、各突起（３５ａ、３５ｂ）は設けられていない。そして伸長形態とされた操作部品３においては、突出部３６ａと突出部３６ｂの間隔は先述したＬ１に等しく、突出部３６ｂと先端３３ａ（可動部３３の先端部分）の間隔は先述したＬ３に等しい。
【００７５】
伸長形態とされた操作部品３は、図１０に示すように、棒状部３１の一部を位置決め用窪みＧ１ａに嵌め込み、かつ、可動部の先端３３ａを位置決め用窪みＧ１ｂに嵌め込むようにして、機器本体２に乗せることが出来る。なおこのとき可動部の先端３３ａは、位置決め用窪みＧ１ｂの右端へ接する状態とされている。また左側の位置決め用窪みＧ１ａ（Ｇ２ａ、Ｇ３ａも同様）の寸法は、このようにして操作部品３を乗せることが出来るよう適切に設定されている。
【００７６】
このように操作部品３が機器本体２に乗せられると、操作部品３は図１１に示すように、突出部３６ａが指定点Ｐ１ａをタッチし、かつ、突出部３６ｂが指定点Ｐ１ｂをタッチする第１態様Ｓ１となる。
【００７７】
また伸長形態とされた操作部品３は、棒状部３１の一部を位置決め用窪みＧ２ａに嵌め込み、かつ、可動部の先端３３ａを位置決め用窪みＧ２ｂに嵌め込むようにして、機器本体２に乗せることが出来る。この場合に操作部品３は、突出部３６ａが指定点Ｐ２ａをタッチし、かつ、突出部３６ｂが指定点Ｐ２ｂをタッチする第２態様Ｓ２となる。
【００７８】
また伸長形態とされた操作部品３は、棒状部３１の一部を位置決め用窪みＧ３ａに嵌め込み、かつ、可動部の先端３３ａを位置決め用窪みＧ３ｂに嵌め込むようにして、機器本体２に乗せることが出来る。この場合に操作部品３は、突出部３６ａが指定点Ｐ３ａをタッチし、かつ、突出部３６ｂが指定点Ｐ３ｂをタッチする第３態様Ｓ３となる。
【００７９】
なお第１から第３の各態様（Ｓ１〜Ｓ３）においては、棒状部３１の一部が左側の位置決め用窪みに嵌め込まれ、可動部の先端３３ａが右側の位置決め用窪みに嵌め込まれ、かつ、可動部の先端３３ａが右側の位置決め用窪みの右端へ接している。そのため操作部品３は、上下および右等の方向への動きが制限される。すなわち各態様の操作部品３は、位置決め用窪みの作用により、これらの方向についてその態様の位置に位置決めされる。
【００８０】
３．第３実施形態
次に第３実施形態について説明する。なお第３実施形態は、操作部品の位置決めに関する構成を除き、基本的には第１実施形態と同様である。以下の説明では、第１実施形態と異なる部分の説明に重点をおき、共通する部分については説明を省略することがある。
【００８１】
図１２は、第３実施形態に係る機器本体２の形状等を表す説明図である。機器本体２には、第１実施形態とは異なり、各位置決め用窪み（Ｇ１ａ〜Ｇ３ａ、Ｇ１ｂ〜Ｇ３ｂ）は設けられていない。その代わりに筐体２０の前面には、各マグネット（Ｍ１ａ〜Ｍ３ａ、Ｍ１ｂ〜Ｍ３ｂ）が設けられている。
【００８２】
マグネットＭ１ａは、筐体２０の前面における左側の縁の近傍に、指定点セットＰ１と上下方向の位置が同じとなるように設けられている。マグネットＭ１ｂは、筐体２０の前面における右側の縁の近傍に、指定点セットＰ１と上下方向の位置が同じとなるように設けられている。
【００８３】
またマグネットＭ２ａは、筐体２０の前面における左側の縁の近傍に、指定点セットＰ２と上下方向の位置が同じとなるように設けられている。マグネットＭ２ｂは、筐体２０の前面における右側の縁の近傍に、指定点セットＰ２と上下方向の位置が同じとなるように設けられている。
【００８４】
またマグネットＭ３ａは、筐体２０の前面における左側の縁の近傍に、指定点セットＰ３と上下方向の位置が同じとなるように設けられている。マグネットＭ３ｂは、筐体２０の前面における右側の縁の近傍に、指定点セットＰ３と上下方向の位置が同じとなるように設けられている。
【００８５】
なお指定点Ｐ１ａと指定点Ｐ１ｂの間隔、指定点Ｐ２ａと指定点Ｐ２ｂの間隔、および指定点Ｐ３ａと指定点Ｐ３ｂの間隔は、それぞれＬ１で同じである。また指定点Ｐ１ａとマグネットＭ１ａの間隔、指定点Ｐ２ａとマグネットＭ２ａの間隔、および指定点Ｐ３ａとマグネットＭ３ａの間隔は、それぞれＬ２で同じである。また指定点Ｐ１ｂとマグネットＭ１ｂの間隔、指定点Ｐ２ｂとマグネットＭ２ｂの間隔、および指定点Ｐ３ｂとマグネットＭ３ｂの間隔は、それぞれＬ３で同じである。
【００８６】
図１３は、第３実施形態に係る操作部品３の形状等を表す説明図である。操作部品３には、第１実施形態とは異なり、各突起（３５ａ、３５ｂ）は設けられていない。その代わりに操作部品３には、各磁性体部（３７ａ、３７ｂ）が設けられている。各磁性体部（３７ａ、３７ｂ）は、十分に磁性が強い物質（例えば鉄などの金属）を用いて、マグネットに引付けられるように形成されている。
【００８７】
磁性体部３７ａは棒状部３１に設けられており、磁性体部３７ｂは可動部３３に設けられている。また各突出部（３６ａ、３６ｂ）および各磁性体部（３７ａ、３７ｂ）は、操作部品３の軸方向へ真直ぐに（径方向へずれずに）並ぶように配置されている。なお操作部品３が伸長形態であるとき、突出部３６ａと突出部３６ｂの間隔は先述したＬ１に等しく、突出部３６ａと磁性体部３７ａの間隔は先述したＬ２に等しく、突出部３６ｂと磁性体部３７ｂの間隔は先述したＬ３に等しくなっている。
【００８８】
伸長形態とされた操作部品３は、図１４に示すように、磁性体部３７ａをマグネットＭ１ａに引っ付け、かつ、磁性体部３７ｂをマグネットＭ１ｂに引っ付けるようにして、機器本体２に乗せることが出来る。このように操作部品３が機器本体２に乗せられると、操作部品３は図１５に示すように、突出部３６ａが指定点Ｐ１ａをタッチし、かつ、突出部３６ｂが指定点Ｐ１ｂをタッチする第１態様Ｓ１となる。
【００８９】
また伸長形態とされた操作部品３は、磁性体部３７ａをマグネットＭ２ａに引っ付け、かつ、磁性体部３７ｂをマグネットＭ２ｂに引っ付けるようにして、機器本体２に乗せることも出来る。この場合に操作部品３は、突出部３６ａが指定点Ｐ２ａをタッチし、かつ、突出部３６ｂが指定点Ｐ２ｂをタッチする第２態様Ｓ２となる。
【００９０】
また伸長形態とされた操作部品３は、磁性体部３７ａをマグネットＭ３ａに引っ付け、かつ、磁性体部３７ｂをマグネットＭ３ｂに引っ付けるようにして、機器本体２に乗せることも出来る。この場合に操作部品３は、突出部３６ａが指定点Ｐ３ａをタッチし、かつ、突出部３６ｂが指定点Ｐ３ｂをタッチする第３態様Ｓ３となる。
【００９１】
なお第１から第３の各態様（Ｓ１〜Ｓ３）においては、磁性体部３７ａが左側のマグネットに引付けられ、かつ、磁性体部３７ｂが右側のマグネットに引付けられている。そのため操作部品３は、各方向について容易には（意図的に動かそうとしない限りは）動かない。すなわち各態様の操作部品３は、各磁性体部（３７ａ、３７ｂ）およびマグネットの作用により、各方向についてその態様の位置に位置決めされる。
【００９２】
４．第４実施形態
次に第４実施形態について説明する。なお第４実施形態は、操作部品の位置決めに関する構成を除き、基本的には第１実施形態と同様である。以下の説明では、第１実施形態と異なる部分の説明に重点をおき、共通する部分については説明を省略することがある。
【００９３】
図１６は、第４実施形態に係る機器本体２の形状等を表す説明図である。機器本体２には、第１実施形態とは異なり、各位置決め用窪み（Ｇ１ａ〜Ｇ３ａ、Ｇ１ｂ〜Ｇ３ｂ）は設けられていない。その代わりに筐体２０の前面には、各位置決め用溝（Ｈａ、Ｈｂ）が設けられている。
【００９４】
位置決め用溝Ｈａは、筐体２０の前面における左側の縁の近傍に、一定の幅で上下方向へ伸びるように設けられている。また位置決め用溝Ｈｂは、筐体２０の前面における右側の縁の近傍に、一定の幅で上下方向へ伸びるように設けられている。なお各位置決め用溝（Ｈａ、Ｈｂ）は、筐体２０の前面において上端から下端にまで伸びる形態であっても構わない。
【００９５】
なお指定点Ｐ１ａと指定点Ｐ１ｂの間隔、指定点Ｐ２ａと指定点Ｐ２ｂの間隔、および指定点Ｐ３ａと指定点Ｐ３ｂの間隔は、それぞれＬ１で同じである。また左側の各指定点（Ｐ１ａ〜Ｐ３ａ）と位置決め用溝Ｈａの間隔（左右方向の間隔）は、それぞれＬ２で同じである。また右側の各指定点（Ｐ１ｂ〜Ｐ３ｂ）と位置決め用溝Ｈｂの間隔（左右方向の間隔）は、それぞれＬ３で同じである。また第１指定点セットＰ１と第２指定点セットＰ２の間隔、および第２指定点セットＰ１と第３指定点セットＰ２の間隔（上下方向の間隔）は、それぞれＬ４で同じである。
【００９６】
図１７は、第４実施形態に係る操作部品３の形状等を表す説明図である。操作部品３には、第１実施形態とは異なり、各突起（３５ａ、３５ｂ）は設けられていない。その代わりに操作部品３には、各嵌め込み部（３８ａ、３８ｂ）が設けられている。
【００９７】
嵌め込み部３８ａは、棒状部３１に設けられた円板状の部分である。嵌め込み部３８ａは、中心軸が棒状部３１と共通であり、棒状部３１の側面から全周に亘って突出する形態となっている。嵌め込み部３８ａの厚みは位置決め用溝Ｈａの幅に合わせて（位置決め用溝Ｈａに嵌め込み可能となるように）設定されている。
【００９８】
嵌め込み部３８ｂは、可動部３３に設けられた円板状の部分である。嵌め込み部３８ｂは、中心軸が可動部３３と共通（棒状部３１とも共通）であり、可動部３３の側面から全周に亘って突出する形態となっている。嵌め込み部３８ｂの厚みは位置決め用溝Ｈｂの幅に合わせて（位置決め用溝Ｈｂに嵌め込み可能となるように）設定されている。各嵌め込み部（３８ａ、３８ｂ）の円周の長さは、先述したＬ４となるように設定されている。
【００９９】
なお操作部品３が伸長形態であるとき、突出部３６ａと突出部３６ｂの間隔は先述したＬ１に等しく、突出部３６ａと嵌め込み部３８ａの間隔は先述したＬ２に等しく、突出部３６ｂと嵌め込み部３８ｂの間隔は先述したＬ３に等しくなっている。
【０１００】
伸長形態とされた操作部品３は、図１８に示すように、嵌め込み部３８ａを位置決め用溝Ｈａに嵌め込み、かつ、嵌め込み部３８ｂを位置決め用溝Ｈｂに嵌め込むようにして、機器本体２に乗せることが出来る。なおこのとき、各突出部（３６ａ、３６ｂ）がタッチパネル２１に向いて接触し、各嵌め込み部（３８ａ、３８ｂ）が各位置決め用溝（Ｈａ、Ｈｂ）の上端に接する状態とされている。このように操作部品３が機器本体２に乗せられると、操作部品３は図１９に示すように、突出部３６ａが指定点Ｐ１ａをタッチし、かつ、突出部３６ｂが指定点Ｐ１ｂをタッチする第１態様Ｓ１となる。
【０１０１】
また第１態様Ｓ１である操作部品３は、図２０に示すように、各嵌め込み部（３８ａ、３８ｂ）が各位置決め用溝（Ｈａ、Ｈｂ）に嵌め込まれた状態のまま、下向きに転がすことが可能である。このようにして操作部品３をちょうど一回転させると、操作部品３は、突出部３６ａが指定点Ｐ２ａをタッチし、かつ、突出部３６ｂが指定点Ｐ２ｂをタッチする第２態様Ｓ２となる。
【０１０２】
また第２態様Ｓ２である操作部品３は、図２０に示すように、各嵌め込み部（３８ａ、３８ｂ）が各位置決め用溝（Ｈａ、Ｈｂ）に嵌め込まれた状態のまま、更に下向きに転がすことが可能である。このようにして操作部品３を更に一回転させると、操作部品３は、突出部３６ａが指定点Ｐ３ａをタッチし、かつ、突出部３６ｂが指定点Ｐ３ｂをタッチする第３態様Ｓ３となる。
【０１０３】
なお第１態様Ｓ１においては、嵌め込み部３８ａが位置決め用溝Ｈａに嵌め込まれているとともに、位置決め用溝Ｈａの上端に接している。また嵌め込み部３８ｂが位置決め用溝Ｈｂに嵌め込まれているとともに、位置決め用溝Ｈｂの上端に接している。そのため操作部品３は、上および左右等の方向への動きが制限される。すなわち第１態様Ｓ１の操作部品３は、各位置決め用溝（Ｈａ、Ｈｂ）および各嵌め込み部（３８ａ、３８ｂ）の作用により、これらの方向について第１態様Ｓ１の位置に位置決めされる。
【０１０４】
また第２態様Ｓ２においては、嵌め込み部３８ａが位置決め用溝Ｈａに嵌め込まれているとともに、また嵌め込み部３８ｂが位置決め用溝Ｈｂに嵌め込まれている。そのため操作部品３は、左右等の方向への動きが制限される。すなわち第２態様Ｓ２の操作部品３は、各位置決め用溝（Ｈａ、Ｈｂ）および各嵌め込み部（３８ａ、３８ｂ）の作用により、これらの方向について第２態様Ｓ２の位置に位置決めされる。
【０１０５】
また第３態様Ｓ３においては、嵌め込み部３８ａが位置決め用溝Ｈａに嵌め込まれているとともに、また嵌め込み部３８ｂが位置決め用溝Ｈｂに嵌め込まれている。そのため操作部品３は、左右等の方向への動きが制限される。すなわち第３態様Ｓ３の操作部品３は、各位置決め用溝（Ｈａ、Ｈｂ）および各嵌め込み部（３８ａ、３８ｂ）の作用により、これらの方向についてその態様の位置に位置決めされる。なお第３態様Ｓ３のときに、嵌め込み部３８ａが位置決め用溝Ｈａの下端に接し、嵌め込み部３８ｂが位置決め用溝Ｈｂの下端に接するようになっていても良い。この場合、操作部品３は下方向についても、第３態様Ｓ３の位置に位置決めされる。
【０１０６】
５．その他
以上に説明した通り各実施形態の電子機器１は、タッチパネル２１を有し、タッチパネル２１のキャリブレーションを行う機器本体２と、タッチパネル２１のタッチ操作に使用される操作部品３と、を備えている。
【０１０７】
また機器本体２は、タッチパネル２１に複数の指定点である指定点セットが設定されており、指定点セットの各点を同時にタッチする指定点同時タッチがなされたときの状態に基づいてタッチパネル２１のキャリブレーションを行う。また操作部品３は、機器本体２と所定の位置関係になる態様でタッチパネル２１へ接触させた際に、指定点同時タッチを行うように形成されている。
【０１０８】
すなわち操作部品３は、このような態様でタッチパネル２１へ接触させるだけで、指定点同時タッチを行うことが可能となるように形成されている。そのため電子機器１によれば、キャリブレーションの際に所定の複数点を同時にタッチする作業（指定点同時タッチを行う作業）を、的確に行うことが容易となっている。また電子機器１によれば、操作部品３をタッチ操作と当該作業の両方に用いることが可能であり、操作部品３をより効率良く利用することが出来る。
【０１０９】
なお機器本体２は、タッチパネル２１に３個の指定点セット（Ｐ１〜Ｐ３）が設定されており、３個の指定点セットについて指定点同時タッチが順次なされたときの各状態に基づいてキャリブレーションを行う。なお本発明に係る指定点セットの個数は３個に限られず、１個、２個、或いは４個以上であっても構わない。
【０１１０】
また操作部品３は、第１態様Ｓ１でタッチパネル２１に接触させた際に第１指定点セットＰ１の指定点同時タッチを行い、第２態様Ｓ２でタッチパネル２１に接触させた際に第２指定点セットＰ２の指定点同時タッチを行い、第３態様Ｓ３でタッチパネル２１に接触させた際に第３指定点セットＰ３の指定点同時タッチを行うように形成されている。すなわち操作部品３は、第Ｋ（１≦Ｋ≦３）態様でタッチパネル２１に接触させた際に、第Ｋ指定点セットについての指定点同時タッチを行うように形成されている。
【０１１１】
なお各実施形態における指定点セット（Ｐ１〜Ｐ３）は、何れも予め決められた２点である。但し本発明の指定点セットの形態はこれに限られず、３点以上の点であっても構わない。
【０１１２】
また各実施形態における操作部品３は、周囲から突出した２個の突出部（３６ａ、３６ｂ）が指定点セット（Ｐ１〜Ｐ３）の２点と同じ間隔で設けられている。そして操作部品３を各態様（Ｓ１〜Ｓ３）でタッチパネル２１に接触させた際に、各突出部（３６ａ、３６ｂ）が指定点同時タッチを行うようになっている。
【０１１３】
また各実施形態における操作部品３は、軸方向へ各突出部（３６ａ、３６ｂ）が並ぶように配置された略棒状の部品である。操作部品３は、通常のタッチ操作の際には、タッチパネル２１に対して立たせた態様で用いられるが、指定点同時タッチに用いられる際の各態様（Ｓ１〜Ｓ３）は、タッチパネル２１に対して寝かせた態様である。また各実施形態における操作部品３は、軸方向へ伸縮可能に形成されており、各態様（Ｓ１〜Ｓ３）は、軸方向へ伸ばされた態様である。
【０１１４】
また各実施形態における電子機器１は、操作部品３の位置を少なくとも一方向について各態様（Ｓ１〜Ｓ３）の位置に位置決めする機能部（位置決め部）を備えている。そのため、キャリブレーションの際に指定点同時タッチを行う作業を的確に行うことが、更に容易となっている。そしてこの位置決め部については、先に説明した通り、第１〜第４の実施形態ごとに異なる形態のものが採用されている。何れの形態を採用するかについては、電子機器１の仕様や用途などに応じて適切に決定され得る。
【０１１５】
なお第１実施形態では位置決め部として、機器本体２に窪み（Ｇ１ａ〜Ｇ３ａ、Ｇ１ｂ〜Ｇ３ｂ）が設けられるとともに、これらの窪みに嵌め込まれる突起（３５ａ、３５ｂ）が操作部品３に設けられている。なおこのような主旨の窪みと突起は、逆に設けられていても構わない。すなわち当該窪みが操作部品３に設けられ、当該突起が機器本体２に設けられていても構わない。また第２実施形態では位置決め部として、操作部品３の一部が嵌め込まれる窪み（Ｇ１ａ〜Ｇ３ａ、Ｇ１ｂ〜Ｇ３ｂ）が、機器本体２に設けられている。
【０１１６】
また第３実施形態では位置決め部として、機器本体にマグネット（Ｍ１ａ〜Ｍ３ａ、Ｍ１ｂ〜Ｍ３ｂ）が設けられるとともに、これらのマグネットに引付けられる磁性体部（３７ａ、３７ｂ）が操作部品３に設けられている。なおこのような主旨のマグネットと磁性体部は、逆に設けられていても構わない。すなわち当該マグネットが操作部品３に設けられ、当該磁性体部が機器本体２に設けられていても構わない。
【０１１７】
第４実施形態では、操作部品３は、機器本体２に沿った下方向（各指定点セットが並ぶ配列方向）への転がしがなされることにより、各指定点セット（Ｐ１〜Ｐ３）についての指定点同時タッチを順次行うように形成されている。そして位置決め部として、下方向へ伸びた溝（Ｈａ、Ｈｂ）が機器本体２に設けられるとともに、前記転がしがなされるときに溝（Ｈａ、Ｈｂ）に嵌め込まれた状態を維持する嵌め込み部（３８ａ、３８ｂ）が操作部品３に設けられている。
【０１１８】
なお第４実施形態において、操作部品３は、前記転がしにより行われるタッチパネル２１への各タッチの一部（つまり全てのタッチではなく、一部のタッチ）が、指定点同時タッチとなるように形成されていても良い。この場合に機器本体２は、前記各タッチのうちの指定点同時タッチとなるものを識別し、指定点同時タッチ以外については、キャリブレーションに反映させないようになっていれば良い。すなわちキャリブレーション動作において、指定点同時タッチ以外のタッチの情報は間引かれるようになっていれば良い。これにより機器本体２は、キャリブレーションを適切に行うことが可能となる。
【０１１９】
例えば、嵌め込み部（３８ａ、３８ｂ）の円周長さが各指定点セット（Ｐ１〜Ｐ３）の間隔Ｌ４の１／３になっている場合、嵌め込み部（３８ａ、３８ｂ）が３回転する度に指定点同時タッチがなされる。この場合には、２回おきの３回分のタッチ（例えば１回目、４回目、および７回目のタッチ）が指定点同時タッチとなることが予め判っているため、機器本体２は、指定点同時タッチとなるものを識別することが可能である。
【０１２０】
また第４実施形態において、操作部品３は、前記転がしにおける回転半径が変わるように変形可能に形成されていても良い。例えば操作部品３は、通常時には携帯やタッチ操作に便利なコンパクト形状（回転半径が小さい形状）にしておき、前記転がしに用いる際には、１回転ごとに指定点同時タッチを行う形状（回転半径が大きい形状）とすることが可能となるように、形成されていても良い。
【０１２１】
なお当該回転半径が変わるように変形可能とする具体的形態としては、種々の形態が採用され得る。一例としては図２１（操作部品３を先端部分３１ｂ側から見た図）に示すように、嵌め込み部３８ｂ（嵌め込み部３８ａについても同様）を周方向に分割した構造としておき、分割された各部分が径方向へ伸縮自在である形態としても良い。この例では図２１に示すように、Ｒ１とＲ２の間で当該回転半径が切替可能となる。
【０１２２】
また本発明の構成は、上記の各実施形態や変形例のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。また本発明は、タッチパネルを備える様々な電子機器に利用することができる。
【符号の説明】
【０１２３】
１                電子機器
２                機器本体
２０              筐体
２１              タッチパネル
２２              キャリブレーション実行部
２３              アプリケーション実行部
２４              制御部
３                操作部品
３１              棒状部
３１ａ            棒状部の一方の先端
３１ｂ            棒状部の他方の先端
３３              可動部
３３ａ            可動部の先端
３５ａ、３５ｂ    突起
３６ａ、３６ｂ    突出部
３７ａ、３７ｂ    磁性体部
３８ａ、３８ｂ    嵌め込み部
Ｈａ、Ｈｂ        位置決め用溝
Ｐ１〜Ｐ３        指定点セット
Ｇ１ａ〜Ｇ３ａ、Ｇ１ｂ〜Ｇ３ｂ    位置決め用窪み
Ｍ１ａ〜Ｍ３ａ、Ｍ１ｂ〜Ｍ３ｂ    マグネット
Ｐ１ａ〜Ｐ３ａ、Ｐ１ｂ〜Ｐ３ｂ    指定点
【図１】
2014174892.tif 000003
【図２】
2014174892.tif 000004
【図３】
2014174892.tif 000005
【図４】
2014174892.tif 000006
【図５】
2014174892.tif 000007
【図６】
2014174892.tif 000008
【図７】
2014174892.tif 000009
【図８】
2014174892.tif 000010
【図９】
2014174892.tif 000011
【図１０】
2014174892.tif 000012
【図１１】
2014174892.tif 000013
【図１２】
2014174892.tif 000014
【図１３】
2014174892.tif 000015
【図１４】
2014174892.tif 000016
【図１５】
2014174892.tif 000017
【図１６】
2014174892.tif 000018
【図１７】
2014174892.tif 000019
【図１８】
2014174892.tif 000020
【図１９】
2014174892.tif 000021
【図２０】
2014174892.tif 000022
【図２１】
2014174892.tif 000023